(57)【要約】【課題】本発明は、ナースセンターに設置されるボード形ナースコール親機において、一覧表示される患者名などの個人情報を、ボード形ナースコール親機から離れた位置からはみだりに視認できないようにすることを課題とする。【解決手段】本発明は、ボード形ナースコール親機の筐体表面の上部に一辺を固定した半透明柔軟シートで選局部表面を被覆することにより、選局部に表示される患者情報を周辺の離れた位置から見にくくすると共に、前記半透明柔軟シートの表側から選局ボタンを容易に操作できるようにしたことを特徴とする。【選択図】図１
2007036781.tif 000002
【特許請求の範囲】
【請求項１】
ナースステーションに設置され、病室の各患者ベッドに対応して設置されたナースコール子機との間で双方向通話が可能なボード形ナースコール親機において、前記ナースコール子機と通話するための送受器を有する操作部と、前記ナースコール子機を選局する機能を有する選局部とを有し、前記選局部は、氏名カード、選局ボタン、個別呼出灯などで構成される個別選局部が所定数縦に並んだ構造の選局集合体を分割選局部として、これを１以上横に並べて構成し、前記選局部の上端縁に沿って、上側の一辺を前記ボード形ナースコール親機の筐体表面または選局部の上端部に固定した半透明柔軟シートで、前記選局部を全面的に被覆するとともに、前記半透明柔軟シートの上から前記選局ボタンを操作できるようにしたことを特徴とするボード形ナースコール親機。
【請求項２】
前記半透明柔軟シートは、選局部全体または、分割選局部ごとに分割して個別に被覆できる寸法に形成したことを特徴とする請求項１記載のボード形ナースコール親機。
【請求項３】
前記半透明柔軟シートは、顔料または着色剤を添加して着色したことを特徴とする請求項１記載のボード形ナースコール親機。
【発明の詳細な説明】
【技術分野】
【０００１】
本発明は、病院や介護施設で使用されるナースコール親機に係わり、特に、ナースセンターの壁面に設置して使用されるボード形ナースコール親機において、ナースコール操作に支障を与えることなく、患者情報を適宜保護することができるボード形ナースコール親機に関する。
【背景技術】
【０００２】
平成１６年１２月には、厚生労働省から、医療・介護施設における個人情報の取り扱いのためのガイドラインが公表され、また、平成１７年４月には、個人情報の保護に関する法律が全面実施となった。このような情勢の中、医療・介護施設においても、患者の個人情報の保護対策が急務となり、患者と医療従事者とのあいだのコミュニケーション手段であるナースコールシステムに関しても、個人情報保護対策が欠かせないものとなってきた。
【０００３】
特許文献１のプライバシー保護機能付き個別廊下灯の発明は、見舞い客など不特定多数の人の目に入りやすい個別廊下灯において表示される入院患者の名前などを、できるだけ人目に触れさせないようにすることを目的として考案されたものである。
また、特許文献２の病院用情報表示板の発明は、コンピュータで制御されるＬＣＤタイプの廊下灯であり、ＩＤカードを所持する許可された人だけしか入院患者情報を見ることができないようにしたものである。
【特許文献１】・・・・特開２００４−９４７６４号公報
【特許文献２】・・・・特開２００３−８８５６１号公報
【発明の開示】
【発明が解決しようとする課題】
【０００４】
特許文献１、特許文献２記載の発明は、いずれも、病室の出入り口に設置される廊下灯に関するものであり、病室にいる患者の氏名などの患者情報が、廊下灯付近を行き来する見舞い客などの目に触れないようにすることにより、患者のプライバシーを保護するものである。
【０００５】
他方、ナースセンターに設置されるボード形ナースコール親機は、回線数８０局を例に取ると、１ｍに近い縦横寸法を有する大型装置であり、１６０局ともなれば、横幅は２ｍに及ぶものもある。
すなわち、２、３０ｃｍ角しかない比較的小型な個別廊下灯とは、その大きさが異なる。
従って、まず、特許文献１記載の発明をナースコール親機にそのまま適用することは一般的には困難である。
【０００６】
また、本発明におけるボード形ナースコール親機は、患者名をＬＣＤなどに表示する電子表示式ではなく、その前面パネルに、手書き式の患者氏名板を縦横に並べて構成する機械式、あるいは、旧来式ともいえるナースコール親機であり、特許文献２のような、コンピュータ制御の電子表示式の発明をそのまま適用することもできない。
【０００７】
さらに、患者のプライバシー保護対策は、新規納入分だけでなく、既設納入品にも簡単に実施できることが必要とされる。
【０００８】
ところで、本出願人は、とある病院において、プライバシー保護のために工夫された実例を見学する機会があった。その病院では、ボード形ナースコール親機を取り付けた壁面の上部からＬ型の金具を突出させ、両端を当該金具で支持したパイプから巻き上げ式のスクリーンを親機の前面に垂らし、親機前面を通常は見えないように覆ってあった。実際の操作状況を見ると、暖簾をくぐる感じで垂れ下がったスクリーンを手前に掃いながらスクリーンの内側に入いり込んで親機を操作している。
【０００９】
なお、当該病院には２病棟があるが、実施したのは１病棟だけであり、他の病棟は見にくいという欠点が問題にされ、未実施のままである。
【課題を解決するための手段】
【００１０】
本発明は、ボード形ナースコール親機の筐体表面の上部に一辺を固定した半透明柔軟シートで選局部表面を被覆することにより、選局部に表示される患者情報を周辺の離れた位置から見にくくすると共に、前記半透明柔軟シートの表側から違和感無く選局ボタンを容易に操作できるようにしたことを特徴とする。
【発明の効果】
【００１１】
本発明によれば、半透明柔軟シートで選局部表面を全体的に覆うので、ボード形ナースコール親機の場所で直接操作するときは、選局部に間近なため、半透明柔軟シートによる視線遮断効果は小さく、患者氏名など、患者の個人情報を明確に確認できる。
他方、ボード形ナースコール親機から適当に離れた位置では、半透明柔軟シートによる視線遮断効果で、患者氏名など、患者の個人情報を視認することは困難になり、患者プライバシーの保護が可能となる。
【００１２】
なお、個別呼出灯の点灯状態は、たとえ、ボード形ナースコール親機から離れた位置にいても、半透明柔軟シートによる光の拡散効果で若干のぼやけを生じるが、明確に確認することができる。
【００１３】
さらに、ボード形ナースコール親機の選局操作は、半透明柔軟シートの上から、選局ボタンの位置を確認し、違和感のない操作が可能である。
【００１４】
さらに、半透明柔軟シートにより、故障の原因となりやすい埃が選局部に侵入するのを防止できる。
【発明を実施するための最良の形態】
【００１５】
図１は、本発明の一実施例を示すボード形ナースコール親機の外観図である。
１はナースステーションなどに設置されるボード形ナースコール親機で、縦長の操作部２および選局部３から構成される。
操作部２は、ナースコール子機と通話するための送受器４、複数の操作スイッチ５、メモボード６等から構成されている。
選局部３は、図示の例では、２０局タイプの分割選局部７を横に３個並べて６０局用として構成され、その左端の分割選局部７は、半透明柔軟シート８でカバーされている。
【００１６】
図２は、分割選局部７を構成する個別選局部９の詳細図であり、室番カード１０、個別呼出灯兼選局ボタン１１、看護情報表示部１２、救護区分表示部１３、氏名カード１４などを含み、この種のボード形ナースコール親機としては通有の構成を有する。
【００１７】
ところで、図１において、半透明柔軟シート８は、その上端の固着部１５において、ボード形ナースコール親機１の筐体パネルまたは選局部３の上端縁に後述するようにして固定され、そのまま、半透明柔軟シート８の自重で分割選局部７の表面に垂れ下がった状態で、分割選局部７を覆っている。
【００１８】
この半透明柔軟シート８の透明度は、ナースコール親機に触れる位置まで近接した場合において、個別選局部の室番カード１０、個別呼出灯兼選局ボタン１１、看護情報表示部１２、救護区分表示部１３の色や文字の内容を判読できる程度であることが望ましく、いわゆる半透明を条件とする。
なお、半透明柔軟シート８としては、顔料や着色材料を適宜混合添加した着色シートを使用することができる。
【００１９】
なお、図１の実施例では、半透明柔軟シート８を明示するため、あえて、左端の分割選局部７にのみ半透明柔軟シート８を取付けた例を示してあるが、実際には、同じ半透明柔軟シート８を他の選局分割部７にも同じように取付けることが必要である。
もっとも、半透明柔軟シート８の大きさは、分割選局部のサイズに限定されるものではなく、選局部３全体を覆えるサイズであってもよい。
【００２０】
次に、図３により、半透明柔軟シート８を、固着部１５でボード形ナースコール親機１の筐体パネルまたは選局部３の上部に固定する方法を説明する。
【００２１】
図３（ａ）は、半透明柔軟シート８の上端裏面に両面テープまたはラバーゴムなどの固定部品１６を貼り付け、ボード形ナースコール親機１の筐体パネルまたは選局部３に接着剤または磁力で固着させてある。
【００２２】
図３（ｂ）は、マグネットラバー１７で半透明柔軟シート８をサンドイッチ状に挟んで、ボード形ナースコール親機１の筐体パネルに固定してある。
【００２３】
図３（ｃ）は、Ｌ型に曲げた固定具１８の先端の挟持部で半透明柔軟シート８を挟持するとともに、ボード形ナースコール親機１の筐体上面に引掛けるようにして止めてある。なお、半透明柔軟シート８の固定方法は、図３の各実施例に限定されず、各種の方法が可能である。
【００２４】
また、図３の各実施例では、半透明柔軟シートの上辺のみ固定してあるが、下辺および両側辺を同時に固定してもよい。
【００２５】
ところで、本発明で使用する半透明柔軟シート８としては、キーボードカバーとして市販されている、フリーカットタイプと同等の半透明柔軟シートを使用すると便利である。
この種の市販シートの一般的特徴は、厚みが０．１５ｍｍ程度でありながら、強度、柔軟性に優れ、抗菌加工、帯電防止仕様、耐寒耐熱性能を付与されており、表面は光反射を抑えるとともにサラッとした手触り、裏面は自己粘着性で、選局部の表面に吸着する特性を持っている。従って、シートの上からでも違和感なく選局ボタンを操作することができ、隣接する選局ボタンに干渉することもない。
【図面の簡単な説明】
【００２６】
【図１】本発明の１実施例におけるボード形ナースコール親機の外観図。
【図２】本発明の１実施例における個別選局部の詳細図。
【図３】本発明の１実施例における半透明柔軟シートの取付状態を示す側面図。
【符号の説明】
【００２７】
１    ボード形ナースコール親機
２    操作部
３    選局部
７    分割選局部
８    半透明柔軟シート
９    個別選局部
１０    室番カード
１１    個別呼出灯兼選局ボタン
１２    看護情報表示部
１３    救護区分表示部
１４    氏名カード
【図２】
2007036781.tif 000003
【図３】
2007036781.tif 000004
【図１】
2007036781.tif 000005